(57)【要約】【課題】水平又は垂直又は斜め又は２次元のフィルタ処理を個別に行いすべてを加算するため、図９に示すように水平垂直線の交点などに２重にエンハンサがかかってしまい、精細感を損なう場合があった。【解決手段】２次元的に絵柄を検出し、それによって複数のフィルタを選択し、そのフィルタで処理されたフィルタ信号を映像信号に加算することにより、絵柄から選択された最適な輪郭強調フィルタによって、映像信号の輪郭を強調する。【選択図】  図１
2005012642.tif 000002
【特許請求の範囲】
【請求項１】
一定周波数でサンプリングされた映像信号において、画素遅延装置とライン遅延装置によって２次元の画素を得るための映像遅延装置群と、２次元の画素である遅延信号群から絵柄を検出しフィルタ選択信号を出力する絵柄検出部と、フィルタ選択信号により複数のフィルタを選択可能で、選択されたフィルタ処理をしてフィルタ信号を出力するフィルタ部と、映像信号を遅延する映像遅延装置と、遅延された映像信号とフィルタ信号を加算するフィルタ信号加算部により構成され、絵柄から選択された最適なフィルタ信号を映像信号に加算し、映像信号の輪郭を強調することを特徴とする映像信号処理装置。
【請求項２】
請求項１における映像信号処理装置において、フィルタ部の係数がメモリで構成されることを特徴とする映像信号処理装置。
【請求項３】
請求項２における映像信号処理装置において、フィルタ部の係数用メモリに書き込むフィルタ係数をフィルタ選択信号からの演算により作成することを特徴とする映像信号処理装置。
【発明の詳細な説明】
【０００１】
【発明の属する技術分野】
本発明は、テレビジョン受信機などで利用される映像信号の輪郭部分の強調手段に関するものである。
【０００２】
【従来の技術】
従来、この種の映像信号処理回路は、図８に示すように、映像信号１０を所定時間遅延して画素遅延、ライン遅延の遅延出力群１１を出力する映像遅延装置群１９９と、遅延信号群１１によりフィルタ処理をして水平フィルタ信号２１を出力する水平フィルタ部２９８と、垂直フィルタ信号２２を出力する垂直フィルタ部２９７と、映像信号１０を所定時間遅延して遅延映像信号１２を出力する映像遅延装置４９９と、遅延映像信号１２と水平フィルタ信号２１と垂直フィルタ信号２２を加算し出力映像信号２３を出力するするフィルタ信号加算部５９８で構成されていた。
【０００３】
このような輪郭強調回路は、特許文献１にも記載されている。
【０００４】
【特許文献１】
特開２００１−１６９１４４号公報
【０００５】
【発明が解決しようとする課題】
しかしながら、上記従来例では以下に示すような課題があった。
【０００６】
全映像領域に、水平又は垂直又は斜め又は２次元のフィルタ処理を個別に行いすべてを加算するため、図９に示すように水平垂直線の交点などに２重にエンハンサがかかってしまい、精細感を損なう場合があった。
【０００７】
【課題を解決するための手段】
上記課題を解決するため、本発明の請求項１記載の発明は、画素遅延装置とライン遅延装置によって２次元の画素を得るための映像遅延装置群と、２次元の画素である遅延信号群から絵柄を検出しフィルタ選択信号を出力する絵柄検出部と、フィルタ選択信号により複数のフィルタを選択可能で、選択されたフィルタ処理をしてフィルタ信号を出力するフィルタ部と、映像信号を遅延する映像遅延装置と、遅延された映像信号とフィルタ信号を加算するフィルタ信号加算部備えることにより課題を解決するものである。
【０００８】
また、本発明の請求項２記載の発明は、画素遅延装置とライン遅延装置によって２次元の画素を得るための映像遅延装置群と、２次元の画素である遅延信号群から絵柄を検出しフィルタ選択信号を出力する絵柄検出部と、フィルタ選択信号によりアドレス選択されるフィルタ係数メモリを有し、選択されたフィルタ係数にてフィルタ処理をしてフィルタ信号を出力するフィルタ部と、映像信号を遅延する映像遅延装置と、遅延された映像信号とフィルタ信号を加算するフィルタ信号加算部備えることにより課題を解決するものである。
【０００９】
【発明の実施の形態】
以下に、本発明に記載された実施の形態の一例について図面を用いて説明する。
【００１０】
（実施の形態１）
図１、図２、図３、図４は本発明の第１の発明に記載された実施の形態の一例の構成図である。
【００１１】
図１は本発明の全体のブロック図を示す。入力される映像信号１０は、映像遅延装置群１９９にてライン遅延、画素遅延され遅延出力群１１となる。遅延出力群１１から絵柄検出部３９９によってフィルタ選択信号１５が作成され、フィルタ部２９９のフィルタを選択する。映像遅延装置４９９によって所定の遅延された映像信号１０は映像遅延信号１２となり、遅延信号群に対しフィルタ選択信号１５で選択されたフィルタで処理されたフィルタ信号１３と映像遅延信号１２を加算し出力映像信号１４として出力する。映像遅延装置群１９９は図２に詳細を示す。映像信号１００は、ライン遅延装置１５０により１ライン遅延映像信号１１０、２ライン遅延映像信号１２０となり、さらに画素遅延装置１５３によって２ライン１画素遅延映像信号１２１、２ライン２画素遅延映像信号１２２、画素遅延装置１５４によって１ライン１画素遅延映像信号１１１、２ライン２画素遅延映像信号１１２、画素遅延装置１５５によって１画素遅延映像信号１０１、２画素遅延映像信号１０２となり、結果、１００，１０１，１０２，１１０，１１１，１１２，１２０，１２１，１２２という２次元の画素遅延映像信号が作られる。これを図３に示す。図４はフィルタ部２９９を詳細に説明した図面で、遅延信号群１９９からの遅延信号１００，１０１，１０２，１１０，１１１，１１２，１２０，１２１，１２２から水平フィルタ２９０と垂直フィルタ２９１により作られる信号をフィルタ選択信号１２により選択され、水平又は垂直フィルタ信号としてフィルタ信号１３が出力される。
【００１２】
図７は絵柄検出部３９９の一例である。絵柄検出部は、例えば、図７のような２次元の映像信号があった時に、Ａを注目画素とすると周辺にＢ，Ｃ，Ｄ，Ｅの画素がある。この画素との差分信号の絶対値が最大である方向を求め、その方向のフィルタを選択するようフィルタ選択部へ信号を送る。このとき、周辺を縦横の４画素としているが、斜め方向を含めた８画素でも良く、さらに、２画素以上の距離でも良い。
【００１３】
このように、本発明の第１の発明は、絵柄によってエンハンサのフィルタの２次元的な方向を選択することを特徴とする映像信号処理装置である。このとき、遅延信号群は水平３画素垂直３画素の合計９画素を例にしているが、さらに大きな画素数であっても良い。
【００１４】
（実施の形態２）
本発明の第２の発明は、実施の形態１に示す第１の発明のフィルタ部２９９がフィルタ選択信号１２により選択されるフィルタの係数が図５に示すように、フィルタ係数メモリ２５０としてメモリによって構成され、複数の２次元フィルタを自由に構成されることを特徴とする。このとき、遅延信号群は水平３画素垂直３画素の合計９画素を例にしているが、さらに大きな画素数であっても良い。図５の時、フィルタ信号１３は、
（［１００］＊［２００］）＋（［１０１］＊［２０１］）＋（［１０２］＊［２０２］）＋（［１１０］＊［２１０］）＋（［１１１］＊［２１１］）＋（［１１２］＊［２１２］）＋（［１２０］＊［２２０］）＋（［１２１］＊［２２１］）＋（［１２２］＊［２２２］）
のように遅延信号群１９９の各信号とフィルタ係数メモリの積和で表される。
【００１５】
（実施の形態３）
本発明の第２の発明は、実施の形態２に示す第２の発明のフィルタ部２９９がフィルタ選択信号１２によりフィルタ係数演算回路２５１にてフィルタ係数が演算されフィルタ係数メモリ２５０に書き込まれ、２次元フィルタを自由に構成されることを特徴とする。このとき、遅延信号群は水平３画素垂直３画素の合計９画素を例にしているが、さらに大きな画素数であっても良い。また、このとき、絵柄検出部により絵柄の輪郭の角度を検出する場合、画素数が多い方が多くの角度情報を得ることが可能となる。本発明の第２の発明ではフィルタ係数をメモリによって構成しているが、選択するためのメモリが多く必要となってしまう。本実施の形態によるとフィルタ係数を演算で決定するため、絵柄検出部３９９の出力であるフィルタ選択信号１５の種類が多くなってもメモリの量は一定で済む。
【００１６】
【発明の効果】
本発明の第１の発明により、映像信号から２次元的に絵柄を検出し、最適なフィルタを選ぶことにより、映像の精細感を損なうことなく輪郭を強調する効果を有す。
【００１７】
本発明の第２の発明により、映像信号から２次元的に絵柄を検出し、最適な自由に構成可能な２次元フィルタを選ぶことにより、映像の精細感を損なうことなく輪郭を強調する効果を有す。
【００１８】
本発明の第３の発明により、映像信号から２次元的に絵柄を検出し、最適な自由に構成可能な２次元フィルタを演算によって作り出すことにより、さらに映像の精細感を損なうことなく輪郭を強調する効果を有す。
【図面の簡単な説明】
【図１】本発明の全体ブロック図
【図２】本発明の遅延装置群のブロック図
【図３】本発明の遅延信号群を解説する図
【図４】本発明の第１の発明のフィルタ群を説明する図
【図５】本発明の第２の発明のフィルタ部を説明する図
【図６】本発明の第３の発明のフィルタ部を説明する図
【図７】本発明の絵柄検出部の一例を示す図
【図８】本発明の従来例を示す図
【図９】本発明の従来例の課題を説明する図
【符号の説明】
１０  映像信号
１１  遅延出力群
１２  遅延映像信号
１４  出力映像信号
２１  水平フィルタ信号
２２  垂直フィルタ信号
１０１  １画素遅延映像信号
１０２  ２画素遅延映像信号
１１０  １ライン遅延映像信号
１１１  １ライン１画素遅延映像信号
１１２  １ライン２画素遅延映像信号
１２０  １ライン遅延映像信号
１２１  ２ライン１画素遅延映像信号
１２２  ２ライン２画素遅延映像信号
１５０  ライン遅延装置
１５３，１５４，１５５  画素遅延装置
１９９  映像遅延装置群
２５０  フィルタ係数メモリ
２５１  フィルタ係数演算回路
２９０  水平フィルタ
２９１  垂直フィルタ
２９８  フィルタ選択器
３９９  絵柄検出部
４９９  映像遅延装置
５９９  フィルタ信号加算部
【図１】
2005012642.tif 000003
【図２】
2005012642.tif 000004
【図３】
2005012642.tif 000005
【図４】
2005012642.tif 000006
【図５】
2005012642.tif 000007
【図６】
2005012642.tif 000008
【図７】
2005012642.tif 000009
【図８】
2005012642.tif 000010
【図９】
2005012642.tif 000011